(57)【要約】【課題】車載センサの普及を効果的に促進することのできるセンサ情報収集システムを提供する。【解決手段】センサ情報収集システムは、第１車両に搭載される車載装置と、前記車載装置に接続される収集装置とを備え、前記車載装置は、前記第１車両に搭載されるセンサが計測したセンサ情報を前記収集装置に提供するセンサ情報提供部と、前記センサ情報の有用性に関する有用性情報を前記収集装置から取得する有用性情報取得部と、取得された前記有用性情報をユーザに提示する提示部とを含み、前記収集装置は、前記第１車両から前記センサ情報を収集する収集部と、収集された前記センサ情報の有用性を判断する判断部と、前記判断部による判断結果に基づいて、前記有用性情報を生成する有用性情報生成部と、生成された前記有用性情報を前記車載装置に提供する有用性情報提供部とを含む。【選択図】図３
2020194469.tif 000002
【特許請求の範囲】
【請求項１】
第１車両に搭載される車載装置と、
前記車載装置に接続される収集装置とを備え、
前記車載装置は、
前記第１車両に搭載されるセンサが計測したセンサ情報を前記収集装置に提供するセンサ情報提供部と、
前記センサ情報の有用性に関する有用性情報を前記収集装置から取得する有用性情報取得部と、
取得された前記有用性情報をユーザに提示する提示部とを含み、
前記収集装置は、
前記第１車両から前記センサ情報を収集する収集部と、
収集された前記センサ情報の有用性を判断する判断部と、
前記判断部による判断結果に基づいて、前記有用性情報を生成する有用性情報生成部と、
生成された前記有用性情報を前記車載装置に提供する有用性情報提供部とを含む、
センサ情報収集システム。
【請求項２】
前記判断部は、前記センサ情報の第２車両に対する有用性を判断し、
前記収集装置は、さらに、
前記センサ情報に基づいて、前記第２車両の運転の支援情報を生成する支援情報生成部と、
生成された前記支援情報を前記第２車両に提供する支援情報提供部とを含む、請求項１に記載のセンサ情報収集システム。
【請求項３】
前記判断部は、前記センサ情報が前記支援情報の生成に用いられるほど、前記センサ情報の有用性が高いと判断する、請求項２に記載のセンサ情報収集システム。
【請求項４】
前記判断部は、前記センサ情報が示す情報量が大きいほど、前記センサ情報の有用性が高いと判断する、請求項１から請求項３のいずれか１項に記載のセンサ情報収集システム。
【請求項５】
前記判断部は、前記センサ情報の希少性が高いほど、前記センサ情報の有用性が高いと判断する、請求項１から請求項４のいずれか１項に記載のセンサ情報収集システム。
【請求項６】
前記有用性情報は、前記センサ情報が有効に活用されたことに対する謝意を示す情報である、請求項１から請求項５のいずれか１項に記載のセンサ情報収集システム。
【請求項７】
前記有用性情報は、前記有用性を数値化したポイント情報である、請求項１から請求項６のいずれか１項に記載のセンサ情報収集システム。
【請求項８】
前記収集装置は、さらに、
前記ポイント情報に基づいて、前記第１車両のランキング情報を生成するランキング情報生成部と、
生成された前記ランキング情報を前記車載装置に提供するランキング情報提供部とを含み、
前記車載装置は、さらに、
前記収集装置から前記ランキング情報を取得するランキング情報取得部を含み、
前記提示部は、さらに、取得された前記ランキング情報を前記ユーザに提示する、請求項７に記載のセンサ情報収集システム。
【請求項９】
前記収集装置は、さらに、
前記ポイント情報に基づくアイテム情報を前記車載装置に提供するアイテム情報提供部を含み、
前記車載装置は、さらに、
前記収集装置から前記アイテム情報を取得するアイテム情報取得部を含み、
前記提示部は、さらに、取得された前記アイテム情報を表示する、請求項７または請求項８に記載のセンサ情報収集システム。
【請求項１０】
前記有用性情報は、金銭的価値を持たない情報である、請求項１から請求項９のいずれか１項に記載のセンサ情報収集システム。
【請求項１１】
車両に搭載される車載装置から、前記車両に搭載されるセンサが計測したセンサ情報を収集する収集部と、
収集された前記センサ情報の有用性を判断する判断部と、
前記判断部による判断結果に基づいて、前記センサ情報の有用性に関する有用性情報を生成する有用性情報生成部と、
生成された前記有用性情報を前記車載装置に提供する有用性情報提供部とを備える、収集装置。
【請求項１２】
車両に搭載される車載装置であって、
前記車両に搭載されるセンサが計測したセンサ情報を、前記センサ情報を収集する収集装置に提供するセンサ情報提供部と、
前記センサ情報の有用性に関する有用性情報を前記収集装置から取得する有用性情報取得部と、
取得された前記有用性情報をユーザに提示する提示部とを備える、車載装置。
【請求項１３】
車両に搭載される車載装置が、前記車両に搭載されるセンサが計測したセンサ情報を収集装置に提供するステップと、
前記収集装置が、前記車載装置から前記センサ情報を収集するステップと、
前記収集装置が、収集された前記センサ情報の有用性を判断するステップと、
前記収集装置が、前記有用性の判断結果に基づいて、前記センサ情報の有用性に関する有用性情報を生成するステップと、
前記収集装置が、生成された前記有用性情報を前記車載装置に提供するステップと、
前記車載装置が、前記有用性情報を前記収集装置から取得するステップと、
前記車載装置が、取得された前記有用性情報をユーザに提示するステップとを含む、センサ情報収集方法。
【請求項１４】
車両に搭載される車載装置から、前記車両に搭載されるセンサが計測したセンサ情報を収集するステップと、
収集された前記センサ情報の有用性を判断するステップと、
前記有用性の判断結果に基づいて、前記センサ情報の有用性に関する有用性情報を生成するステップと、
生成された前記有用性情報を前記車載装置に提供するステップと含む、センサ情報収集方法。
【請求項１５】
車両に搭載されるセンサが計測したセンサ情報を、前記センサ情報を収集する収集装置に提供するステップと、
前記センサ情報の有用性に関する有用性情報を前記収集装置から取得するステップと、
取得された前記有用性情報をユーザに提示するステップとを含む、センサ情報提供方法。
【請求項１６】
コンピュータを、
車両に搭載される車載装置から、前記車両に搭載されるセンサが計測したセンサ情報を収集する収集部と、
収集された前記センサ情報の有用性を判断する判断部と、
前記判断部による判断結果に基づいて、前記センサ情報の有用性に関する有用性情報を生成する有用性情報生成部と、
生成された前記有用性情報を前記車載装置に提供する有用性情報提供部として機能させるための、コンピュータプログラム。
【請求項１７】
コンピュータを、車両に搭載される車載装置として機能させるためのコンピュータプログラムであって、
前記コンピュータを、
前記車両に搭載されるセンサが計測したセンサ情報を、前記センサ情報を収集する収集装置に提供するセンサ情報提供部と、
前記センサ情報の有用性に関する有用性情報を前記収集装置から取得する有用性情報取得部と、
取得された前記有用性情報をユーザに提示する提示部として機能させる、コンピュータプログラム。
【発明の詳細な説明】
【技術分野】
【０００１】
本開示は、センサ情報収集システム、収集装置、車載装置、センサ情報収集方法、センサ情報提供方法およびコンピュータプログラムに関する。
【背景技術】
【０００２】
特許文献１には、車両から収集した交通状況情報を他の車両に配信する際、交通状況情報の有用性を判定し、有用性に応じた情報利用料を交通状況情報の利用者から徴収し、交通状況情報の提供者に報酬として分配するシステムが開示されている。
【先行技術文献】
【特許文献】
【０００３】
【特許文献１】特開２００２−３６７０９２号公報
【発明の概要】
【発明が解決しようとする課題】
【０００４】
将来のコネクティッドカー社会で期待されている安全運転支援の高度化、自動運転、最適交通流の実現のためには、路側センサや車載センサを普及させる必要がある。しかし、車両にセンサを搭載することによる恩恵はセンサ搭載車両の購入者だけではなく社会全体で分配されるため、購入者自身への見返りが少ない。このため、センサ搭載車両を購入することによるインセンティブが乏しく、センサ搭載車両が普及しにくいと考えられる。
【０００５】
また、特許文献１に記載のシステムを導入してもセンサ搭載車両の普及は限定的である。なぜならば、特許文献１のシステムのように報酬を利用した外発的動機付けでは、ユーザは打算的となり、多くの報酬が得られない場合には効果がなかったり、利用者の不満がたまりがちである。
【０００６】
本開示は、このような課題に鑑みてなされたものであり、車載センサの普及を効果的に促進することのできるセンサ情報収集システム、収集装置、車載装置、センサ情報収集方法、センサ情報提供方法およびコンピュータプログラムを提供することを目的とする。
【課題を解決するための手段】
【０００７】
本開示の一実施態様に係るセンサ情報収集システムは、第１車両に搭載される車載装置と、前記車載装置に接続される収集装置とを備え、前記車載装置は、前記第１車両に搭載されるセンサが計測したセンサ情報を前記収集装置に提供するセンサ情報提供部と、前記センサ情報の有用性に関する有用性情報を前記収集装置から取得する有用性情報取得部と、取得された前記有用性情報をユーザに提示する提示部とを含み、前記収集装置は、前記第１車両から前記センサ情報を収集する収集部と、収集された前記センサ情報の有用性を判断する判断部と、前記判断部による判断結果に基づいて、前記有用性情報を生成する有用性情報生成部と、生成された前記有用性情報を前記車載装置に提供する有用性情報提供部とを含む。
【０００８】
本開示の他の実施態様に係る収集装置は、車両に搭載される車載装置から、前記車両に搭載されるセンサが計測したセンサ情報を収集する収集部と、収集された前記センサ情報の有用性を判断する判断部と、前記判断部による判断結果に基づいて、前記センサ情報の有用性に関する有用性情報を生成する有用性情報生成部と、生成された前記有用性情報を前記車載装置に提供する有用性情報提供部とを備える。
【０００９】
本開示の他の実施態様に係る車載装置は、車両に搭載される車載装置であって、前記車両に搭載されるセンサが計測したセンサ情報を、前記センサ情報を収集する収集装置に提供するセンサ情報提供部と、前記センサ情報の有用性に関する有用性情報を前記収集装置から取得する有用性情報取得部と、取得された前記有用性情報をユーザに提示する提示部とを備える。
【００１０】
本開示の他の実施態様に係るセンサ情報収集方法は、車両に搭載される車載装置が、前記車両に搭載されるセンサが計測したセンサ情報を収集装置に提供するステップと、前記収集装置が、前記車載装置から前記センサ情報を収集するステップと、前記収集装置が、収集された前記センサ情報の有用性を判断するステップと、前記収集装置が、前記有用性の判断結果に基づいて、前記センサ情報の有用性に関する有用性情報を生成するステップと、前記収集装置が、生成された前記有用性情報を前記車載装置に提供するステップと、前記車載装置が、前記有用性情報を前記収集装置から取得するステップと、前記車載装置が、取得された前記有用性情報をユーザに提示するステップとを含む。
【００１１】
本開示の他の実施態様に係るセンサ情報収集方法は、車両に搭載される車載装置から、前記車両に搭載されるセンサが計測したセンサ情報を収集するステップと、収集された前記センサ情報の有用性を判断するステップと、前記有用性の判断結果に基づいて、前記センサ情報の有用性に関する有用性情報を生成するステップと、生成された前記有用性情報を前記車載装置に提供するステップと含む。
【００１２】
本開示の他の実施態様に係るセンサ情報提供方法は、車両に搭載されるセンサが計測したセンサ情報を、前記センサ情報を収集する収集装置に提供するステップと、前記センサ情報の有用性に関する有用性情報を前記収集装置から取得するステップと、取得された前記有用性情報をユーザに提示するステップとを含む。
【００１３】
本開示の他の実施態様に係るコンピュータプログラムは、コンピュータを、車両に搭載される車載装置から、前記車両に搭載されるセンサが計測したセンサ情報を収集する収集部と、収集された前記センサ情報の有用性を判断する判断部と、前記判断部による判断結果に基づいて、前記センサ情報の有用性に関する有用性情報を生成する有用性情報生成部と、生成された前記有用性情報を前記車載装置に提供する有用性情報提供部として機能させる。
【００１４】
本開示の他の実施態様に係るコンピュータプログラムは、コンピュータを、車両に搭載される車載装置として機能させるためのコンピュータプログラムであって、前記コンピュータを、前記車両に搭載されるセンサが計測したセンサ情報を、前記センサ情報を収集する収集装置に提供するセンサ情報提供部と、前記センサ情報の有用性に関する有用性情報を前記収集装置から取得する有用性情報取得部と、取得された前記有用性情報をユーザに提示する提示部として機能させる。
【００１５】
なお、本開示は、このような特徴的な処理部を備える収集装置または車載装置の一部又は全部を実現する半導体集積回路として実現することもできる。
【発明の効果】
【００１６】
本開示によると、車載センサの普及を効果的に促進することができる。
【図面の簡単な説明】
【００１７】
【図１】図１は、マズローの自己実現理論について説明するための図である。
【図２】図２は、本開示の実施形態１に係るセンサ情報収集システムの全体構成図である。
【図３】図３は、本開示の実施形態１に係る車両の構成を示すブロック図である。
【図４】図４は、本開示の実施形態１に係る収集装置の構成を示すブロック図である。
【図５】図５は、支援情報生成部による支援情報の生成処理について説明するための図である。
【図６】図６は、表示装置に表示される有用性情報の一例を示す図である。
【図７】図７は、本開示の実施形態１に係るセンサ情報収集システムが実行する処理の手順を示すシーケンス図である。
【図８】図８は、本開示の実施形態２に係る車両の構成を示すブロック図である。
【図９】図９は、表示装置に表示されるポイント情報およびランキング情報の一例を示す図である。
【図１０】図１０は、本開示の実施形態２に係る収集装置の構成を示すブロック図である。
【図１１】図１１は、本開示の実施形態２に係るセンサ情報収集システムが実行する処理の手順を示すシーケンス図である。
【図１２】図１２は、本開示の実施形態３に係る車両の構成を示すブロック図である。
【図１３】図１３は、表示装置に表示されるアバター情報およびアイテム情報の一例を示す図である。
【図１４】図１４は、表示装置に表示されるポイント情報およびランキング情報の一例を示す図である。
【図１５】図１５は、本開示の実施形態３に係る収集装置の構成を示すブロック図である。
【図１６】図１６は、本開示の実施形態３に係るセンサ情報収集システムが実行する所定の手順を示すシーケンス図である。
【発明を実施するための形態】
【００１８】
［本開示の基礎となった知見］
まず、本開示の基礎となった知見について説明する。
【００１９】
上述したように、特許文献１に記載のシステムのような外発的動機付けでは、ユーザに対して、センサ搭載車両を購入しようとする動機づけを与えるのが困難である。
【００２０】
そこで、本発明者は、マズローの自己実現理論における高次欲求に着目し、利用者の内発的動機付けによる能動的なセンサ搭載車両の購入を促すシステムを考案した。
【００２１】
図１は、マズローの自己実現理論について説明するための図である。図１を参照して、マズローは、人間の欲求を５段階の階層で理論化した。マズローによると、人間の欲求には、低次のものから並べると、生理的欲求、安全欲求、社会的欲求、承認欲求、自己実現欲求の５段階の欲求があるとされる。生理的欲求とは、生命維持のための本能的な欲求のことである。安全欲求とは、安全性、経済的安定性、良い健康状態の維持など、予測可能で秩序だった状態を得ようとする欲求のことである。社会的欲求とは、家族・集団をつくりどこかに所属したいという要求、社会的役割を果たしたいという欲求のことである。承認欲求とは、自分が集団から存在価値を認めてもらい尊重されたいという欲求のことである。自己実現欲求とは、自分の持つ能力や可能性を最大限に発揮したい欲求のことである。
【００２２】
本発明者は、５段階の欲求のうち、社会的欲求以上の高次の欲求を満たして、ユーザの満足感や充実感を高め、その結果として、センサ搭載車両の普及を促進することを意図したセンサ情報収集システムを提案する。
【００２３】
［本開示の実施形態の概要］
最初に本開示の実施形態の概要を列記して説明する。
（１）本開示の一実施形態に係るセンサ情報収集システムは、第１車両に搭載される車載装置と、前記車載装置に接続される収集装置とを備え、前記車載装置は、前記第１車両に搭載されるセンサが計測したセンサ情報を前記収集装置に提供するセンサ情報提供部と、前記センサ情報の有用性に関する有用性情報を前記収集装置から取得する有用性情報取得部と、取得された前記有用性情報をユーザに提示する提示部とを含み、前記収集装置は、前記第１車両から前記センサ情報を収集する収集部と、収集された前記センサ情報の有用性を判断する判断部と、前記判断部による判断結果に基づいて、前記有用性情報を生成する有用性情報生成部と、生成された前記有用性情報を前記車載装置に提供する有用性情報提供部とを含む。
【００２４】
この構成によると、第１車両に搭載される車載装置は、第１車両に搭載されるセンサのセンサ情報の有用性に関する有用性情報を取得し、ユーザに提示することができる。このため、第１車両のユーザについて、マズローの自己実現理論における社会的欲求および承認欲求を充足させることができる。よって、センサ搭載車両を持たないユーザの内発的動機付けによる車載センサの購入を促すことができる。これにより、車載センサの普及を効果的に促進することができる。
【００２５】
（２）好ましくは、前記判断部は、前記センサ情報の第２車両に対する有用性を判断し、前記収集装置は、さらに、前記センサ情報に基づいて、前記第２車両の運転の支援情報を生成する支援情報生成部と、生成された前記支援情報を前記第２車両に提供する支援情報提供部とを含む。
【００２６】
この構成によると、第１車両のユーザは、第１車両と異なる第２車両の安全運転に貢献することができ、これにより、第１車両のユーザの社会的欲求を充足させることができる。
【００２７】
（３）さらに好ましくは、前記判断部は、前記センサ情報が前記支援情報の生成に用いられるほど、前記センサ情報の有用性が高いと判断する。
【００２８】
この構成によると、第１車両のユーザに対して、より有用性の高い支援情報を生成できるように、センサの数を増やしたり、高精度なセンサを購入しようとする動機づけを与えることができる。
【００２９】
（４）また、前記判断部は、前記センサ情報が示す情報量が大きいほど、前記センサ情報の有用性が高いと判断してもよい。
【００３０】
この構成によると、第１車両のユーザに対して、より情報量の大きいセンサ情報を提供できるように、センサの数を増やそうとする動機づけを与えることができる。
【００３１】
（５）また、前記判断部は、前記センサ情報の希少性が高いほど、前記センサ情報の有用性が高いと判断してもよい。
【００３２】
この構成によると、第１車両のユーザに対して、より希少性の高いセンサ情報を提供できるように、高精度なセンサを購入したり、交通量の少ない道路においてセンサ情報を提供しようとする動機づけを与えることができる。
【００３３】
（６）また、前記有用性情報は、前記センサ情報が有効に活用されたことに対する謝意を示す情報であってもよい。
【００３４】
この構成によると、第１車両のユーザの承認欲求を充足させることができる。
【００３５】
（７）また、前記有用性情報は、前記有用性を数値化したポイント情報であってもよい。
【００３６】
この構成によると、第１車両のユーザは、第１車両から提供されたセンサ情報の有用性の高低を把握することができる。
【００３７】
（８）また、前記収集装置は、さらに、前記ポイント情報に基づいて、前記第１車両のランキング情報を生成するランキング情報生成部と、生成された前記ランキング情報を前記車載装置に提供するランキング情報提供部とを含み、前記車載装置は、さらに、前記収集装置から前記ランキング情報を取得するランキング情報取得部を含み、前記提示部は、さらに、取得された前記ランキング情報を前記ユーザに提示してもよい。
【００３８】
この構成によると、第１車両のユーザは、他車両と比較した場合の第１車両の位置付けを知ることができる。このため、第１車両のユーザに対して、ランキングを上げるためにセンサを追加購入しようとする動機づけを与えることができる。
【００３９】
（９）また、前記収集装置は、さらに、前記ポイント情報に基づくアイテム情報を前記車載装置に提供するアイテム情報提供部を含み、前記車載装置は、さらに、前記収集装置から前記アイテム情報を取得するアイテム情報取得部を含み、前記提示部は、さらに、取得された前記アイテム情報を表示してもよい。
【００４０】
この構成によると、第１車両のユーザが獲得したポイント情報に基づくアイテム情報をユーザに提示することができる。このため、第１車両のユーザに対して、よりよいアイテム情報を表示するためにセンサを追加購入しようとする動機づけを与えることができる。
【００４１】
（１０）また、前記有用性情報は、金銭的価値をもたない情報であってもよい。
【００４２】
この構成によると、第１車両のユーザは、社会的欲求および承認欲求に対する充足感をより感じることができる。
【００４３】
（１１）本開示の他の実施形態に係る収集装置は、車両に搭載される車載装置から、前記車両に搭載されるセンサが計測したセンサ情報を収集する収集部と、収集された前記センサ情報の有用性を判断する判断部と、前記判断部による判断結果に基づいて、前記センサ情報の有用性に関する有用性情報を生成する有用性情報生成部と、生成された前記有用性情報を前記車載装置に提供する有用性情報提供部とを備える。
【００４４】
この構成によると、車両に搭載される車載装置に対して、車両に搭載されるセンサのセンサ情報の有用性に関する有用性情報を提供することができる。これにより、車両のユーザに対して有用性情報を提示することができる。このため、車両のユーザについて、マズローの自己実現理論における社会的欲求および承認欲求を充足させることができる。よって、センサ搭載車両を持たないユーザの内発的動機付けによる車載センサの購入を促すことができる。これにより、車載センサの普及を効果的に促進することができる。
【００４５】
（１２）本開示の他の実施形態に係る車載装置は、車両に搭載される車載装置であって、前記車両に搭載されるセンサが計測したセンサ情報を、前記センサ情報を収集する収集装置に提供するセンサ情報提供部と、前記センサ情報の有用性に関する有用性情報を前記収集装置から取得する有用性情報取得部と、取得された前記有用性情報をユーザに提示する提示部とを備える。
【００４６】
この構成によると、車両に搭載される車載装置は、車両に搭載されるセンサのセンサ情報の有用性に関する有用性情報を取得し、ユーザに提示することができる。このため、車両のユーザについて、マズローの自己実現理論における社会的欲求および承認欲求を充足させることができる。よって、センサ搭載車両を持たないユーザの内発的動機付けによる車載センサの購入を促すことができる。これにより、車載センサの普及を効果的に促進することができる。
【００４７】
（１３）本開示の他の実施形態に係るセンサ情報収集方法は、車両に搭載される車載装置が、前記車両に搭載されるセンサが計測したセンサ情報を収集装置に提供するステップと、前記収集装置が、前記車載装置から前記センサ情報を収集するステップと、前記収集装置が、収集された前記センサ情報の有用性を判断するステップと、前記収集装置が、前記有用性の判断結果に基づいて、前記センサ情報の有用性に関する有用性情報を生成するステップと、前記収集装置が、生成された前記有用性情報を前記車載装置に提供するステップと、前記車載装置が、前記有用性情報を前記収集装置から取得するステップと、前記車載装置が、取得された前記有用性情報をユーザに提示するステップとを含む。
【００４８】
この構成は、上述のセンサ情報収集システムが備える特徴的な処理部に対応するステップを含む。このため、この構成によると、上述のセンサ情報収集システムと同様の作用および効果を奏することができる。
【００４９】
（１４）本開示の他の実施形態に係るセンサ情報収集方法は、車両に搭載される車載装置から、前記車両に搭載されるセンサが計測したセンサ情報を収集するステップと、収集された前記センサ情報の有用性を判断するステップと、前記有用性の判断結果に基づいて、前記センサ情報の有用性に関する有用性情報を生成するステップと、生成された前記有用性情報を前記車載装置に提供するステップと含む。
【００５０】
この構成は、上述の収集装置が備える特徴的な処理部に対応するステップを含む。このため、この構成によると、上述の収集装置と同様の作用および効果を奏することができる。
【００５１】
（１５）本開示の他の実施形態に係るセンサ情報提供方法は、車両に搭載されるセンサが計測したセンサ情報を、前記センサ情報を収集する収集装置に提供するステップと、前記センサ情報の有用性に関する有用性情報を前記収集装置から取得するステップと、取得された前記有用性情報をユーザに提示するステップとを含む。
【００５２】
この構成は、上述の車載装置が備える特徴的な処理部に対応するステップを含む。このため、この構成によると、上述の車載装置と同様の作用および効果を奏することができる。
【００５３】
（１６）本開示の他の実施形態に係るコンピュータプログラムは、コンピュータを、車両に搭載される車載装置から、前記車両に搭載されるセンサが計測したセンサ情報を収集する収集部と、収集された前記センサ情報の有用性を判断する判断部と、前記判断部による判断結果に基づいて、前記センサ情報の有用性に関する有用性情報を生成する有用性情報生成部と、生成された前記有用性情報を前記車載装置に提供する有用性情報提供部として機能させる。
【００５４】
この構成によると、コンピュータを、上述の収集装置として機能させることができる。このため、上述の収集装置と同様の作用および効果を奏することができる。
【００５５】
（１７）本開示の他の実施形態に係るコンピュータプログラムは、コンピュータを、車両に搭載される車載装置として機能させるためのコンピュータプログラムであって、前記コンピュータを、前記車両に搭載されるセンサが計測したセンサ情報を、前記センサ情報を収集する収集装置に提供するセンサ情報提供部と、前記センサ情報の有用性に関する有用性情報を前記収集装置から取得する有用性情報取得部と、取得された前記有用性情報をユーザに提示する提示部として機能させる。
【００５６】
この構成によると、コンピュータを、上述の車載装置として機能させることができる。このため、上述の車載装置と同様の作用および効果を奏することができる。
【００５７】
［本開示の実施形態の詳細］
以下、本開示の実施の形態について、図面を参照しながら説明する。なお、以下で説明する実施の形態は、いずれも本開示の好ましい一具体例を示すものである。以下の実施の形態で示される数値、形状、材料、構成要素、構成要素の配置位置および接続形態、ステップ、ステップの順序などは、一例であり、本開示を限定する趣旨ではない。また、以下の実施の形態における構成要素のうち、本開示の最上位概念を示す独立請求項に記載されていない構成要素については、より好ましい形態を構成する任意の構成要素として説明される。
【００５８】
また、同一の構成要素には同一の符号を付す。それらの機能および名称も同様であるため、それらの説明は適宜省略する。
【００５９】
［実施形態１］
＜センサ情報収集システムの全体構成＞
図２は、本開示の実施形態１に係るセンサ情報収集システムの全体構成図である。
図２に示すように、実施形態１に係るセンサ情報収集システム１は、無線通信が可能な複数の車両２と、車両２と無線通信する１または複数の無線基地局４と、無線基地局４とネットワークを介して有線または無線で通信する収集装置５と、無線通信が可能な複数の路側センサ６とを備える。
【００６０】
無線基地局４は、マクロセル基地局、マイクロセル基地局、およびピコセル基地局のうちの少なくとも１つよりなる。
【００６１】
実施形態１のセンサ情報収集システム１において、収集装置５は、例えば、ＳＤＮ（Software-Defined Networking）が可能な汎用サーバよりなる。また、無線基地局４および図示しないリピータなどの中継装置は、ＳＤＮが可能なトランスポート機器によりなる。
【００６２】
上記のＳＤＮに代表されるネットワーク仮想化技術は、「第５世代移動通信システム」（以下、「５Ｇ」（5th Generation）と略記する。）の基本コンセプトである。したがって、センサ情報収集システム１は、例えば５Ｇよりなる。
【００６３】
車両２は、無線通信機能を有する車載装置３を含む。車載装置３は、車両２に搭載されたカメラ、ミリ波レーダなどの各種センサに接続される。
【００６４】
車両２には、通常の乗用車だけでなく、路線バスや緊急車両などの公共車両も含まれる。また、車両２は、四輪車だけでなく、二輪車（バイク）であってもよい。
【００６５】
車両２の駆動方式は、エンジン駆動、電気モータ駆動、およびハイブリッド方式のいずれでもよい。車両２の運転方式は、搭乗者が加減速やハンドル操舵などの操作を行う通常運転、およびその操作をコンピュータプログラムにより実行される自動運転のいずれでもよい。
【００６６】
路側センサ６は、道路に設置された画像式車両感知器またはＬｉＤＡＲ（Light Detection and Ranging）、屋外または屋内に設置された防犯カメラなどの各種センサを含んで構成される。
【００６７】
＜車両２の構成＞
図３は、本開示の実施形態１に係る車両の構成を示すブロック図である。
車両２は、各種センサ２１と、車載装置３とを備える。なお、図３には、車両２のセンサ系の構成を示しており、ドライブトレイン等の他の構成については記載を省略する。
【００６８】
センサ２１は、例えば、前方近距離を監視するためのＬｉＤＡＲ、前方遠距離を監視するためのミリ波レーダもしくは超音波レーダ、前方中距離を監視するためのカメラ、全方位近距離を監視するためのサラウンドビューカメラ、または、車両２の位置を測定するためのＧＮＳＳ（Global Navigation Satellite System）受信機もしくはジャイロセンサなどを含む。
【００６９】
車載装置３は、例えば、ＥＣＵ（Electronic Control Unit）により構成され、センサ情報提供部３１と、通信Ｉ／Ｆ部３２と、有用性情報取得部３３と、表示制御部３４とを備える。
【００７０】
各処理部３１、３３および３４は、ＥＣＵに含まれるＣＰＵ（Central Processing Unit）上でコンピュータプログラムを実行することにより実現される機能的な処理部である。
【００７１】
センサ情報提供部３１は、センサ２１が計測したセンサ情報（例えば、物体の検出結果を示すセンサ情報）を、センサ２１から取得する。センサ情報提供部３１は、取得したセンサ情報を、通信Ｉ／Ｆ（インタフェース）部３２を介して、収集装置５に送信する。つまり、センサ情報提供部３１は、センサ情報を通信Ｉ／Ｆ部３２に出力する。通信Ｉ／Ｆ部３２は、センサ情報提供部３１からセンサ情報を受け、そのセンサ情報を収集装置５に向けて送信する。なお、センサ情報は、車両２の自動車登録番号または車両番号などの車両２の識別情報または車両２のユーザの識別情報を含んでいてもよい。
【００７２】
通信Ｉ／Ｆ部３２は、無線基地局４およびネットワークを介して収集装置５と無線通信するための通信モジュールなどにより構成される。
【００７３】
有用性情報取得部３３は、センサ情報提供部３１が収集装置５に提供したセンサ情報の有用性に関する有用性情報を、通信Ｉ／Ｆ部３２を介して収集装置５から取得する。つまり、通信Ｉ／Ｆ部３２は、収集装置５から有用性情報を受信し、その有用性情報を有用性情報取得部３３に出力する。有用性情報取得部３３は、通信Ｉ／Ｆ部３２から有用性情報を取得する。有用性情報は、例えば、車載装置３が提供したセンサ情報が他の車両の走行支援に有効に活用されたことに対する謝意を示す情報である。なお、有用性情報は、金銭的価値を持たない情報であってもよい。
【００７４】
また、有用性情報取得部３３は、取得した有用性情報を、表示制御部３４に出力する。
【００７５】
表示制御部３４は、提示部として機能し、有用性情報取得部３３から有用性情報を受け、その有用性情報を、車両２に設置された表示装置に表示させる。つまり、表示制御部３４は、有用性情報を示す画像データを生成し、生成した画像データを表示装置に出力する。表示装置は、表示制御部３４から画像データを受け、その画像データを画面に表示する。なお、車載装置３は、表示制御部３４の代わりに、有用性情報を音声で出力する音声処理部を備えていてもよい。なお、音声処理部も、提示部として機能する。
【００７６】
＜収集装置５の構成＞
図４は、本開示の実施形態１に係る収集装置５の構成を示すブロック図である。
収集装置５は、通信Ｉ／Ｆ部５１と、収集部５２と、記憶部５３と、マップ生成部５４と、支援情報生成部５５と、支援情報提供部５６と、判断部５７と、有用性情報生成部５８と、有用性情報提供部５９とを備える。
【００７７】
収集装置５は、ＣＰＵ（Central Processing Unit）、ＲＯＭ（Read Only Memory）、ＲＡＭ（Random Access Memory）、ＨＤＤ（Hard Disk Drive）および通信モジュール等を備える一般的なコンピュータにより構成される。各処理部５２および５４〜５９は、ＲＯＭまたはＨＤＤ等に記憶されたコンピュータプログラムをＲＡＭに読み出し、読み出したコンピュータプログラムをＣＰＵ上で実行することにより実現される機能的な処理部である。
【００７８】
通信Ｉ／Ｆ部５１は、無線基地局４およびネットワークを介して収集装置５と通信するための通信モジュールなどにより構成される。
【００７９】
収集部５２は、車両２の車載装置３または路側センサ６から、車両または歩行者などの移動体の検出結果を示すセンサ情報を、通信Ｉ／Ｆ部５１を介して収集する。つまり、通信Ｉ／Ｆ部５１が、車載装置３からセンサ情報を受信し、受信したセンタ情報を収集部５２に出力する。収集部５２は、通信Ｉ／Ｆ部５１から出力されるセンサ情報を収集する。収集部５２は、収集したセンサ情報を記憶部５３に書き込む。
【００８０】
記憶部５３は、収集装置５が実行するコンピュータプログラムの他、処理の実行に必要な各種データを記憶する。記憶部５３は、ＲＯＭ、ＲＡＭ、ＨＤＤなどのメモリにより構成される。記憶部５３は、収集部５２が収集したセンサ情報５３ａと、後述するマップ生成部５４が生成した動的情報マップ５３ｂとを記憶している。
【００８１】
マップ生成部５４は、記憶部５３に記憶されているセンサ情報５３ａに基づいて、移動体の動的情報を示す動的情報マップ５３ｂを生成する。マップ生成部５４は、生成した動的情報マップ５３ｂを記憶部５３に書き込む。
【００８２】
具体的には、マップ生成部５４は、記憶部５３に記憶されているセンサ情報５３ａを解析することにより、移動体の位置を特定する。例えば、マップ生成部５４は、センサ情報５３ａが映像データの場合には、フレーム間差分処理または背景差分処理などの画像認識処理を行うことにより、移動体の位置を特定してもよい。また、センサ情報５３ａがミリ波レーダの計測データの場合には、当該計測データに基づいて物体認識処理を行うことにより、移動体の位置を特定してもよい。
【００８３】
なお、マップ生成部５４は、同一の移動体を複数のセンサが計測した場合には、いずれかのセンサのセンサ情報５３ａから移動体の位置を特定してもよいし、複数のセンサのセンサ情報５３ａから移動体の位置を特定し、特定した複数の位置に基づいて、移動体の位置を１つ特定してもよい。例えば、マップ生成部５４は、同一の移動体について特定した複数の位置の平均を、当該移動体の位置と特定してもよい。
【００８４】
マップ生成部５４は、特定した移動体の位置に基づいて、移動体の動的情報を示す動的情報マップ５３ｂを生成し、記憶部５３に書き込む。
【００８５】
支援情報生成部５５は、センサ情報５３ａまたは動的情報マップ５３ｂに基づいて、車両２の運転を支援するための支援情報を生成する。なお、支援情報は、センサ情報を提供した車両２の運転を支援するための情報の他、車両２の周囲を走行する他の車両の運転を支援するための情報を含む。
【００８６】
図５は、支援情報生成部５５による支援情報の生成処理について説明するための図である。
図５を参照して、交差点ＩＳにおいてそれぞれ右折しようとしている車両２Ａおよび車両２Ｂが存在し、車両２Ａの後方を車両２Ｃが走行しているとする。車両２Ｂの運転席から見た場合、車両２Ｃは車両２Ａの死角に入ってしまう。このため、車両２Ｂの運転手は、車両２Ｃを目視により確認することができない。車両２Ａの車載装置３は、車両２Ａに設置されたセンサ２１により車両２Ｃを検知し、そのセンサ情報を収集装置５に提供する。
【００８７】
支援情報生成部５５は、車両２Ａ〜２Ｃの位置関係等から、車両２Ｂと車両２Ｃとが衝突する可能性があることを判断する。このため、車両２Ａの車載装置３から提供されたセンサ情報に基づいて、車両２Ａの後方に車両２Ｃが存在することを車両２Ｂに伝える支援情報を生成し、支援情報提供部５６に出力する。
【００８８】
支援情報提供部５６は、支援情報生成部５５から支援情報を受け、支援情報を車両２Ｂにユニキャスト、または車両２Ａの周囲の車両２に対してブロードキャストする。
【００８９】
判断部５７は、収集部５２が車載装置３から収集したセンサ情報の有用性を判断し、判断結果を有用性情報生成部５８に出力する。例えば、判断部５７は、センサ情報を提供した車両２とは異なる他車両に対する有用性を判断してもよい。つまり、判断部５７は、センサ情報が、他車両の支援情報の生成に用いられるほど、センサ情報の有用性が高いと判断してもよい。図５の例では、車両２Ａが提供したセンサ情報は、車両２Ｂの支援情報の生成に用いられる。このため、このセンサ情報は、有用性が高いと判断される。なお、判断部５７は、車両２Ｂと車両２Ｃとの衝突が実際に回避されたか否かを判断し、衝突が回避された場合には、さらに有用性を高く判断してもよい。衝突の回避は、例えば、動的情報マップ５３ｂに基づいて判断されてもよいし、車両２Ｂからの衝突回避の通知により判断されてもよい。
【００９０】
また、判断部５７は、センサ情報が示す情報量が大きいほど、センサ情報の有用性が高いと判断してもよい。具体的には、ＬｉＤＡＲやカメラの方が、ミリ波レーダや超音波レーダに比べて、多くの車両を検知することができ、高精度である。このため、判断部５７は、ＬｉＤＡＲやカメラのセンサ情報を、ミリ波レーダや超音波レーダのセンサ情報よりも有用性が高いと判断する。
【００９１】
また、判断部５７は、センサ情報の希少性が高いほど、センサ情報の有用性が高いと判断してもよい。具体的には、判断部５７は、交通量の少ない道路を走行する車両２から得られたセンサ情報などのように、センサ情報が得られる頻度が低い地域のセンサ情報ほど有用性が高いと判断してもよい。
【００９２】
有用性情報生成部５８は、判断部５７からセンサ情報の有用性の判断結果を受け、判断結果に基づいて、センサ情報を提供した車両２に通知する有用性情報を生成し、有用性情報提供部５９に出力する。例えば、有用性情報生成部５８は、図５の車両２Ａに対する有用性情報として、車両２Ａが提供したセンサ情報が車両２Ｂの走行支援に有効に活用されたことを示す情報を生成する。
【００９３】
有用性情報提供部５９は、有用性情報生成部５８から有用性情報を受け、通信Ｉ／Ｆ部５１を介して、その有用性情報を、センサ情報を提供した車両２の車載装置３に送信する。
【００９４】
車載装置３は、上述したように、有用性情報を表示装置に表示する。図６は、表示装置に表示される有用性情報の一例を示す図である。例えば、図５の車両２Ａの表示装置には、「ありがとう  ｂｙ  ｘｘ−ｙｙ  センサ情報が活用されました」とのセンサ情報が活用されたことに対する謝意を示すメッセージが表示される。ここで、「ｘｘ−ｙｙ」は、例えば、車両２Ｂの自動車登録番号である。
【００９５】
＜センサ情報収集システム１の処理の流れ＞
図７は、本開示の実施形態１に係るセンサ情報収集システム１が実行する処理の手順を示すシーケンス図である。ここでは、図５に示した例におけるデータおよび処理の流れについて説明する。
【００９６】
図７を参照して、車両２Ａに搭載された車載装置３（以下、単に「車両２Ａ」ともいう。）のセンサ情報提供部３１は、センサ２１からセンサ情報を取得する（Ｓ１）。センサ情報提供部３１は、取得したセンサ情報を収集装置５に送信し、収集装置５の収集部５２は、そのセンサ情報を収集し、記憶部５３に書き込む（Ｓ３）。
【００９７】
収集装置５のマップ生成部５４は、記憶部５３に記憶されているセンサ情報５３ａに基づいて、動的情報マップ５３ｂを更新して、記憶部５３に書き込む（Ｓ３）。
【００９８】
収集装置５の支援情報生成部５５は、記憶部５３に記憶されているセンサ情報５３ａまたは動的情報マップ５３ｂに基づいて、車両２Ｂの運転を支援するための支援情報を生成する（Ｓ４）。
【００９９】
収集装置５の支援情報提供部５６は、生成された支援情報を車両２Ｂに搭載された車載装置（以下、単に「車両２Ｂ」ともいう。）に送信し、車両２Ｂは、支援情報を受信する（Ｓ５）。車両２Ｂは、受信した支援情報に基づいて運転支援を行う（Ｓ６）。なお、車両２Ｂは、運転支援の結果、衝突が回避されたか否かの結果を収集装置５に通知するようにしてもよい。
【０１００】
収集装置５の判断部５７は、車両２Ａから収集したセンサ情報の有用性を判断する（Ｓ７）。なお、判断部５７は、収集装置５が車両２Ｂから衝突回避の結果を受信している場合には、その結果を考慮して有用性を判断してもよい。
【０１０１】
収集装置５の有用性情報生成部５８は、有用性の判断結果に基づいて、車両２Ａに通知するための有用性情報を生成する（Ｓ８）。有用性情報生成部５８は、例えば、車両２Ｂからの謝意を伝えるメッセージ情報を生成する。
【０１０２】
収集装置５の有用性情報提供部５９は、生成された有用性情報を車両２Ａに送信し、車両２Ａの有用性情報取得部３３は、その有用性情報を受信する（Ｓ９）。
【０１０３】
車両２Ａの表示制御部３４は、受信した有用性情報を表示装置に表示させる（Ｓ１０）。これにより、図６に示したようなメッセージ情報が表示装置の画面に表示される。
【０１０４】
＜実施形態１の効果＞
以上説明したように、本開示の実施形態によると、センサ情報を提供した車両２に搭載される車載装置３は、提供したセンサ情報の有用性に関する有用性情報を取得し、表示することができる。このため、車両２のユーザについて、マズローの自己実現理論における社会的欲求および承認欲求を充足させることができる。よって、センサ搭載車両を持たないユーザの内発的動機付けによるセンサ搭載車両の購入を促すことができる。これにより、車載センサの普及を効果的に促進することができる。
【０１０５】
また、車両２Ａが提供したセンサ情報に基づく支援情報が車両２Ｂに提供される。このため、車両２Ａのユーザは、車両２Ｂの安全運転に貢献することができ、これにより、車両２Ａのユーザの社会的欲求を充足させることができる。
【０１０６】
また、収集装置５の判断部５７は、センサ情報が支援情報の生成に用いられるほど、センサ情報の有用性が高いと判断する。これにより、車両２のユーザに対して、より有用性の高い支援情報を生成できるように、センサの数を増やしたり、高精度なセンサを購入しようとする動機づけを与えることができる。
【０１０７】
また、収集装置５の判断部５７は、センサ情報が示す情報量が大きいほど、センサ情報の有用性が高いと判断する。これにより、車両２のユーザに対して、より情報量の大きいセンサ情報を提供できるように、センサの数を増やそうとする動機づけを与えることができる。
【０１０８】
また、収集装置５の判断部５７は、センサ情報の希少性が高いほど、センサ情報の有用性が高いと判断する。これにより、車両２のユーザに対して、より希少性の高いセンサ情報を提供できるように、高精度なセンサを購入したり、交通量の少ない道路においてセンサ情報を提供しようとする動機づけを与えることができる。
【０１０９】
また、車両２の表示装置に表示される有用性情報は、センサ情報が有効に活用されたことに対する謝意を示す情報である。これにより、車両２のユーザの承認欲求を充足させることができる。
【０１１０】
また、有用性情報は金銭的価値を持たない情報とすることによって、車両２Ａのユーザは、社会的欲求および承認欲求に対する充足感をより感じることができる。
【０１１１】
［実施形態２］
実施形態１では、センサ情報を提供した車両２Ａの表示装置に有用性情報を表示した。実施形態２に係る車両２Ａは、さらに、有用性を数値化したポイント情報または他車両とのポイントの大小を示すランキング情報を表示する。
実施形態２に係るセンサ情報収集システムの構成は、実施形態１と同様である。
【０１１２】
図８は、本開示の実施形態２に係る車両２の構成を示すブロック図である。この構成は、図３に示した実施形態１に係る車両２と車載装置３の構成が異なる。
【０１１３】
つまり、車載装置３は、実施形態１に係る車載装置３の構成に加え、ランキング情報取得部３５を備える。
【０１１４】
有用性情報取得部３３は、有用性情報として、有用性を数値化したポイント情報を、通信Ｉ／Ｆ部３２を介して収集装置５から取得する。有用性情報取得部３３は、取得したポイント情報を表示制御部３４に出力する。
【０１１５】
ランキング情報取得部３５は、通信Ｉ／Ｆ部３２を介して収集装置５から、所定の車両２のグループの中での車両２のポイントの順位を示すランキング情報を取得する。ランキング情報は、ポイント情報に基づいて生成される。ランキング情報取得部３５は、取得したランキング情報を表示制御部３４に出力する。なお、上記グループは限定されるものではないが、例えば、同じカーメーカーの車両２のグループであってもよいし、所定の地域または所定の団体に属する車両２のグループであってもよい。
【０１１６】
表示制御部３４は、有用性情報取得部３３およびランキング情報取得部３５から、それぞれポイント情報およびランキング情報を受け、車両２に設置された表示装置に表示させる。
【０１１７】
図９は、表示装置に表示されるポイント情報およびランキング情報の一例を示す図である。例えば、表示装置には、車両２のポイント情報「５６２９４ポイント」、車両２のランキング情報「１５０８位」および車両２のユーザのユーザ名「ＡＡＣさん」が表示されている。
【０１１８】
図１０は、本開示の実施形態２に係る収集装置５の構成を示すブロック図である。
収集装置５は、図４に示した実施形態１に係る収集装置５の構成に加え、ランキング情報生成部６０と、ランキング情報提供部６１とを備える。また、記憶部５３は、ポイント情報５３ｃおよびランキング情報５３ｄをさらに記憶している。
【０１１９】
ランキング情報生成部６０およびランキング情報提供部６１は、他の処理部５２および５４〜５９と同様に、コンピュータプログラムをＣＰＵ上で実行することにより実現される機能的な処理部である。
【０１２０】
判断部５７は、所定のルールに従って、センサ情報の有用性の高低を数値化した有用度を決定し、有用性情報生成部５８に出力する。例えば、ＬｉＤＡＲまたはカメラのセンサ情報の有用度を２点とし、ミリ波レーダまたは超音波レーダの有用度を１点とするセンサの種別と有用度との対応関係テーブルに基づいて、有用度を決定してもよい。
【０１２１】
有用性情報生成部５８は、判断部５７から有用度を受け、有用度に基づいてポイント情報５３ｃを生成し、記憶部５３に書き込む。ポイント情報５３ｃは、例えば、車両２ごとに、所定の期間（例えば、１カ月間）における有用度の累積値を示す。また、有用性情報生成部５８は、生成したポイント情報５３ｃを有用性情報提供部５９に出力する。
【０１２２】
有用性情報提供部５９は、実施形態１と同様の有用性情報の他、有用性情報生成部５８から受けたポイント情報５３ｃを、通信Ｉ/Ｆ部５１を介して車載装置３に送信する。
【０１２３】
ランキング情報生成部６０は、ポイント情報５３ｃに基づいて、車両２のランキング情報を生成する。具体的には、ランキング情報生成部６０は、ポイントが高いほど車両２の順位が高いランキング情報を生成する。ランキング情報生成部６０は、生成したランキング情報を、収集装置５に書き込む。また、ランキング情報生成部６０は、ランキング情報をランキング情報提供部６１に出力する。
【０１２４】
ランキング情報提供部６１は、ランキング情報生成部６０からランキング情報を受け、そのランキング情報を、通信Ｉ／Ｆ部５１を介して車載装置３に送信する。
【０１２５】
図１１は、本開示の実施形態２に係るセンサ情報収集システム１が実行する処理の手順を示すシーケンス図である。
【０１２６】
ステップＳ１〜Ｓ１０の処理は実施形態１と同様である。ただし、有用性判断処理（ステップＳ７）において、収集装置５の判断部５７は、有用性を数値化した有用度を決定する。
【０１２７】
ステップＳ１０の後、収集装置５の有用性情報生成部５８は、判断部５７が決定した有用度に基づいてポイント情報５３ｃを生成する（Ｓ１１）。
【０１２８】
収集装置５のランキング情報生成部６０は、ポイント情報５３ｃに基づいてランキング情報５３ｄを生成する（Ｓ１２）。
【０１２９】
収集装置５の有用性情報提供部５９およびランキング情報提供部６１は、それぞれ、ポイント情報およびランキング情報を車両２Ａに送信し、車両２Ａは、ポイント情報およびランキング情報を受信する（Ｓ１３）。なお、収集装置５、車両２のユーザのユーザ名を管理している場合には、ユーザ名を合わせて送信するようにしてもよい。
【０１３０】
車両２Ａの表示制御部３４は、ポイント情報およびランキング情報を示す画像データを表示装置の画面に表示させる（Ｓ１４）。これにより、図９に示すような画像データが表示される。
【０１３１】
なお、収集装置５から車載装置３Ａへはランキング情報のみを送信し、ポイント情報は送信しないようにしてもよい。この場合、車載装置３Ａにおいてポイント情報は表示されない。
【０１３２】
以上説明したように、実施形態２によると、車両２のユーザは、ポイント情報を知ることができる。これにより、車両２から提供されたセンサ情報の有用性の高低を把握することができる。
【０１３３】
また、車両２のユーザは、ランキング情報から、他車両と比較した場合の自車両の位置付けを知ることができる。このため、車両２のユーザに対して、ランキングを上げるためにセンサを追加購入しようとする動機づけを与えることができる。
【０１３４】
［実施形態３］
実施形態２では、ポイント情報およびランキング情報を表示することした、実施形態３では、さらに、車両２のユーザのアバターを表示する。
実施形態３に係るセンサ情報収集システムの構成は、実施形態１と同様である。
【０１３５】
図１２は、本開示の実施形態３に係る車両２の構成を示すブロック図である。この構成は、図８に示した実施形態２に係る車両２と車載装置３の構成が異なる。
【０１３６】
つまり、車載装置３は、実施形態２に係る車載装置３の構成に加え、アイテム情報取得部３６と、入力部３７とを備える。
【０１３７】
アイテム情報取得部３６は、通信Ｉ／Ｆ部３２を介して収集装置５から、車両２のユーザのアバター情報と、アバターに追加表示可能なアイテムを示すアイテム情報を取得する。アイテム情報取得部３６は、取得したアバター情報およびアイテム情報を表示制御部３４に出力する。表示制御部３４は、アイテム情報取得部３６からアバター情報およびアイテム情報を受け、車両２に設置された表示装置に表示させる。
【０１３８】
図１３は、表示装置に表示されるアバター情報およびアイテム情報の一例を示す図である。例えば、表示装置には、車両２のユーザのアバター７１と、アイテム情報に基づくアイテム７２ａ〜７２ｅが表示される。アバター７１は、ユーザの人物像である。アイテム７２ａ〜７２ｅは、アバター７１が着用可能な衣類である。なお、各アイテムにはアバター７１に着用する際に消費されるポイントが付与されている。例えば、アイテム７２ａをアバター７１に着用することによりポイント情報から消費されるポイントは、３００ポイントである。なお、アバターおよびアイテムは、図１３に示したものには限定されない。例えば、アバターが車両であり、アイテムが車両に装着可能なタイヤやホイールなどのパーツであってもよい。
【０１３９】
再び図１２を参照して、入力部３７は、タッチパネルなどの入力装置から、ユーザによるアイテムの選択入力を受け付ける。例えば、図１３に示したアイテム７２ａ〜７２ｆの中からユーザが選択したアイテムを受け付ける。入力部３７は、選択されたアイテムを表示制御部３４に通知する。
【０１４０】
表示制御部３４は、入力部３７から通知されたアイテムを着用したアバター７１を表示装置に表示させる。
【０１４１】
図１４は、表示装置に表示されるポイント情報およびランキング情報の一例を示す図である。表示制御部３４は、実施形態２と同様にポイント情報およびランキング情報を表示する。また、表示制御部３４は、これらの情報と併せてアバター７１を表示する。例えば、表示制御部３４は、ランキング情報の左側にアバター７１を表示する。アバター７１は、入力部３７から通知されたアイテムを着用している。例えば、アバター７１は、アイテム７２ｅとアイテム７２ｇとを着用している。なお、アバター７１は、ポイント情報およびランキング情報とともに表示される場合には限定されず、他の表示画面にアバター７１が表示されてもよい。
【０１４２】
図１５は、本開示の実施形態３に係る収集装置５の構成を示すブロック図である。
収集装置５は、図１０に示した実施形態２に係る収集装置５の構成に加え、アイテム情報生成部６２およびアイテム情報提供部６３を備える。また、記憶部５３は、アイテム情報５３ｅをさらに記憶している。
【０１４３】
アイテム情報生成部６２およびアイテム情報提供部６３は、他の処理部５２および５４〜６１と同様に、コンピュータプログラムをＣＰＵ上で実行することにより実現される機能的な処理部である。
【０１４４】
アイテム情報５３ｅには、車両２ごとに、車両２（または車両２のユーザ）のアバター７１と、アバター７１が着用可能な全てのアイテムとを記憶している。また、アイテムには、交換時に消費されるポイントの情報が付与されている。
【０１４５】
アイテム情報生成部６２は、ポイント情報５３ｃに基づいて、車両２に提供するアイテム情報を生成する。例えば、アイテム情報生成部６２は、車両２ごとに、アイテム情報５３ｅの中から車両２のポイント情報で交換可能なアイテムからなるアイテム情報を生成する。アイテム情報生成部６２は、アイテム情報およびアバター情報をアイテム情報提供部６３に出力する。例えば、アイテム情報生成部６２は、図１３に示したような、アイテム７２ａ〜７２ｆおよびアバター７１の情報をアイテム情報提供部６３に出力する。
【０１４６】
アイテム情報提供部６３は、アイテム情報生成部６２からアイテム情報およびアバター情報を受け、通信Ｉ／Ｆ部５１を介して車両２に送信する。
【０１４７】
図１６は、本開示の実施形態３に係るセンサ情報収集システム１が実行する所定の手順を示すシーケンス図である。
ステップＳ１〜Ｓ１１の処理は実施形態２と同様である。
【０１４８】
ステップＳ１１の後、収集装置５のアイテム情報生成部６２は、ポイント情報５３ｃに基づいて、アイテム情報５３ｅの中から車両２Ａのポイント情報で交換可能なアイテム情報を選択することにより、車両２Ａに提供するアイテム情報を生成する（Ｓ１５）。
【０１４９】
アイテム情報提供部６３は、車両２Ａ（または車両２Ａのユーザ）のアバター情報と、アイテム情報生成部６２が生成したアイテム情報とを車両２Ａに送信し、車両２Ａはアバター情報およびアイテム情報を受信する（Ｓ１６）。
【０１５０】
車両２Ａの表示制御部３４は、図１３に示したようにアイテム情報およびアバター情報を表示装置に表示する（Ｓ１７）。
【０１５１】
車両２Ａの入力部３７は、ユーザによるアイテム情報の選択を受け付ける（Ｓ１８）。
【０１５２】
その後、ステップＳ１２〜Ｓ１４の処理が実行され、車両２Ａの表示装置には、ランキング情報が表示される。
【０１５３】
ステップＳ１４の処理の後、車両２Ａの表示制御部３４は、入力部３７が受け付けたアイテム情報を着用したアバター７１をランキング情報と併せて表示する（Ｓ１９）。これにより、図１４に示したような表示が行われる。
【０１５４】
以上説明したように、実施形態３によると、車両２Ａのユーザが獲得したポイント情報に基づくアイテム情報をユーザに提示することができる。このため、車両２Ａのユーザに対して、よりよいアイテム情報を表示するためにセンサを追加購入しようとする動機づけを与えることができる。
【０１５５】
［付記］
以上、本開示の実施の形態に係るセンサ情報収集システム１について説明したが、本開示は、この実施の形態に限定されるものではない。
【０１５６】
例えば、上述の実施形態３では、ユーザは、ポイント情報に応じたアイテム情報を取得することができるとしたが、ユーザが取得可能な情報はアイテム情報には限定されない。例えば、図９に示したランキング情報およびポイント情報を囲むベゼル８０を示すベゼル情報を取得することとしてもよい。ベゼル情報には、ベゼル８０を表示させた場合に消費されるポイントと併せて、複数のベゼル８０が示される。ユーザは、ベゼル情報に示されるベゼル８０の中から、自分の好みのベゼル８０を選択するようにしてもよい。
【０１５７】
また、上記の各装置を構成する構成要素の一部または全部は、１または複数のシステムＬＳＩ（Large Scale Integration）、ＡＳＩＣ（Application Specific Integrated Circuit）、ＦＰＧＡ（Field-Programmable Gate Array）などの半導体装置から構成されているとしてもよい。
【０１５８】
また、上記したコンピュータプログラムを、コンピュータ読取可能な非一時的な記録媒体、例えば、ＨＤＤ、ＣＤ−ＲＯＭ、半導体メモリなどに記録して流通させてもよい。また、コンピュータプログラムを、電気通信回線、無線または有線通信回線、インターネットを代表とするネットワーク、データ放送等を経由して伝送して流通させてもよい。
また、上記各装置は、複数のコンピュータにより実現されてもよい。
【０１５９】
また、上記各装置の一部または全部の機能がクラウドコンピューティングによって提供されてもよい。
【０１６０】
さらに、上記実施の形態および上記変形例の少なくとも一部を任意に組み合わせるとしてもよい。
【０１６１】
今回開示された実施の形態はすべての点で例示であって制限的なものではないと考えられるべきである。本開示の範囲は、上記した意味ではなく、特許請求の範囲によって示され、特許請求の範囲と均等の意味および範囲内でのすべての変更が含まれることが意図される。
【符号の説明】
【０１６２】
１      センサ情報収集システム
２      車両
２Ａ    車両
２Ｂ    車両
２Ｃ    車両
３      車載装置
３Ａ    車載装置
４      無線基地局
５      収集装置
６      路側センサ
２１    センサ
３１    センサ情報提供部
３２    通信Ｉ／Ｆ部
３３    有用性情報取得部
３４    表示制御部
３５    ランキング情報取得部
３６    アイテム情報取得部
３７    入力部
５１    通信Ｉ／Ｆ部
５２    収集部
５３    記憶部
５３ａ  センサ情報
５３ｂ  動的情報マップ
５３ｃ  ポイント情報
５３ｄ  ランキング情報
５３ｅ  アイテム情報
５４    マップ生成部
５５    支援情報生成部
５６    支援情報提供部
５７    判断部
５８    有用性情報生成部
５９    有用性情報提供部
６０    ランキング情報生成部
６１    ランキング情報提供部
６２    アイテム情報生成部
６３    アイテム情報提供部
７１    アバター
７２ａ  アイテム
７２ｂ  アイテム
７２ｃ  アイテム
７２ｄ  アイテム
７２ｅ  アイテム
７２ｆ  アイテム
７２ｇ  アイテム
８０    ベゼル
ＩＳ    交差点
【図１】
2020194469.tif 000003
【図２】
2020194469.tif 000004
【図３】
2020194469.tif 000005
【図４】
2020194469.tif 000006
【図５】
2020194469.tif 000007
【図６】
2020194469.tif 000008
【図７】
2020194469.tif 000009
【図８】
2020194469.tif 000010
【図９】
2020194469.tif 000011
【図１０】
2020194469.tif 000012
【図１１】
2020194469.tif 000013
【図１２】
2020194469.tif 000014
【図１３】
2020194469.tif 000015
【図１４】
2020194469.tif 000016
【図１５】
2020194469.tif 000017
【図１６】
2020194469.tif 000018